(57)【特許請求の範囲】
【請求項１】
相手側装置からの音声によるメッセージを記憶可能なメッセージ記憶手段と、そのメッセージ記憶手段により記憶された相手側装置からのメッセージを出力可能な出力手段とを備えた通信装置において、
回線の閉結前に交換機側から送られる相手側装置の識別番号を受信可能な受信手段と、
その受信手段により受信された相手側装置の識別番号に基づいて前記出力手段によるメッセージの出力順序を選択する選択手段と、
前記受信手段により受信され且つ前記メッセージ記憶手段によりメッセージが記憶された相手側装置の識別番号が記憶される番号記憶手段と、
その番号記憶手段に既に記憶される相手側装置の識別番号と前記受信手段により受信された相手側装置の識別番号とが一致するか否かを判断する判断手段と、
その判断手段により相手側装置の識別番号が一致すると判断された場合に、相手側装置からのメッセージに対応つけて優先であることを示す情報を付与する優先情報付与手段とを備え、
前記選択手段は、その優先情報付与手段に優先であることを示す情報が付与された相手側装置からのメッセージを、優先であることを示す情報が付与されていない相手側装置からのメッセージより優先して選択することを特徴とする通信装置。
【請求項２】
前記受信手段により受信された相手側装置の識別番号に基づいて相手側装置の情報を出力する情報出力手段を備え、
前記選択手段は、その情報出力手段により出力された相手側装置の情報に基づいて前記出力手段によるメッセージの出力順序を選択することを特徴とする請求項１記載の通信装置。
【請求項３】
文字や記号を表示可能な表示手段を備え、
前記情報出力手段は、その表示手段へ相手側装置の情報を表示することを特徴とする請求項２記載の通信装置。
【請求項４】
前記番号記憶手段には、複数の相手側装置の識別番号と、その相手側装置の優先度を示す情報とが、それぞれ対応つけて記憶されており、
前記選択手段は、その番号記憶手段に記憶されている相手側装置の優先度を示す情報に基づいてメッセージを出力する順序を選択することを特徴とする請求項１から３のいずれかに記載の通信装置。
【請求項５】
前記優先情報付与手段により優先であることを示す情報が付与された相手側装置からのメッセージの件数を記憶する優先件数記憶手段と、
その優先件数記憶手段に記憶されている相手側装置からのメッセージの件数を出力する優先件数出力手段とを備えていることを特徴とする請求項１から４のいずれかに記載の通信装置。
【発明の詳細な説明】
【０００１】
【発明の属する技術分野】
本発明は通信装置に関し、特に、回線の閉結前に交換機側から送られる相手側装置の電話番号に基づいて、録音された相手側装置からのメッセージの出力順序を選択することができる通信装置に関するものである。
【０００２】
【従来の技術】
電話装置の中には、相手側装置（発呼側装置、発信者）からのメッセージを録音することができる録音機能を備えたものがある。その録音機能をオン状態に設定しておけば、発信者から電話がかかってきた場合に、その電話を取ることができなくても、発信者からのメッセージを録音し、その録音されたメッセージを後で再生することによって誰から電話があったのか認識することができる。
【０００３】
【発明が解決しようとする課題】
しかしながら、上記の録音機能を備えた電話装置では、通常、録音されたメッセージの再生は、そのメッセージが着信した順序で行われる。このため、メッセージを再生する受信者は、録音されたメッセージの中に重要な発信者からのメッセージが録音されているかもしれないので、再生されるメッセージを最後まで注意深く聞かなければならない。即ち、受信者にとって重要な発信者からのメッセージが録音されていても、その発信者からのメッセージを優先して再生することができないという問題点があった。
【０００４】
本発明は上述した問題点を解決するためになされたものであり、回線の閉結前に交換機側から送られる相手側装置の識別番号に基づいて、録音された相手側装置からのメッセージの出力順序を選択することができる通信装置を提供することを目的としている。
【０００５】
【課題を解決するための手段】
この目的を達成するために請求項１記載の通信装置は、相手側装置からの音声によるメッセージを記憶可能なメッセージ記憶手段と、そのメッセージ記憶手段により記憶された相手側装置からのメッセージを出力可能な出力手段とを備えており、更に、回線の閉結前に交換機側から送られる相手側装置の識別番号を受信可能な受信手段と、その受信手段により受信された相手側装置の識別番号に基づいて前記出力手段によるメッセージの出力順序を選択する選択手段と、前記受信手段により受信され且つ前記メッセージ記憶手段によりメッセージが記憶された相手側装置の識別番号が記憶される番号記憶手段と、その番号記憶手段に既に記憶される相手側装置の識別番号と前記受信手段により受信された相手側装置の識別番号とが一致するか否かを判断する判断手段と、その判断手段により相手側装置の識別番号が一致すると判断された場合に、相手側装置からのメッセージに対応つけて優先であることを示す情報を付与する優先情報付与手段とを備え、前記選択手段は、その優先情報付与手段に優先であることを示す情報が付与された相手側装置からのメッセージを、優先であることを示す情報が付与されていない相手側装置からのメッセージより優先して選択するものである。
【０００６】
請求項１記載の通信装置によれば、相手側装置からの音声によるメッセージはメッセージ記憶手段により記憶され、その記憶された相手側装置からのメッセージは出力手段により出力される。この場合に、回線の閉結前に交換機側から送られる相手側装置の識別番号が受信手段により受信されると、選択手段により、その受信された相手側装置の識別番号に基づいて出力手段によるメッセージの出力順序が選択される。ここで、番号記憶手段に既に記憶される相手側装置の識別番号と受信手段により受信された相手側装置の識別番号とが一致するか否かが判断手段により判断される。判断の結果、両識別番号が一致する場合には、相手側装置からのメッセージに対応つけて優先であることを示す情報が優先情報付与手段によって付与される。その優先であることを示す情報が付与された相手側装置からのメッセージは、出力手段により、優先であることを示す情報が付与されていない相手側装置からのメッセージより優先して出力される。
【０００７】
請求項２記載の通信装置は、請求項１記載の通信装置において、前記受信手段により受信された相手側装置の識別番号に基づいて相手側装置の情報を出力する情報出力手段を備え、前記選択手段は、その情報出力手段により出力された相手側装置の情報に基づいて前記出力手段によるメッセージの出力順序を選択するものである。
【０００８】
請求項３記載の通信装置は、請求項２記載の通信装置において、文字や記号を表示可能な表示手段を備え、前記情報出力手段は、その表示手段へ相手側装置の情報を表示するものである。
【０００９】
【００１０】
【００１１】
【００１２】
請求項４記載の通信装置は、請求項１から３のいずれかに記載の通信装置において、前記番号記憶手段には、複数の相手側装置の識別番号と、その相手側装置の優先度を示す情報とが、それぞれ対応つけて記憶されており、前記選択手段は、その番号記憶手段に記憶されている相手側装置の優先度を示す情報に基づいてメッセージを出力する順序を選択するものである。
【００１３】
請求項５記載の通信装置は、請求項１から４のいずれかに記載の通信装置において、前記優先情報付与手段により優先であることを示す情報が付与された相手側装置からのメッセージの件数を記憶する優先件数記憶手段と、その優先件数記憶手段に記憶されている相手側装置からのメッセージの件数を出力する優先件数出力手段とを備えている。
【００１４】
【００１５】
【００１６】
【００１７】
【発明の実施の形態】
以下、本発明の好ましい実施例について、添付図面を参照して説明する。図１は、本発明の一実施例であるファクシミリ装置１の外観斜視図である。ファクシミリ装置１の本体２の側部には、受話器３が取り付けられている。受話器３は非通話時には本体２に設けられた図示しないフック上に置かれ、通話時にはフックから取り上げられて使用される。前者をオンフック状態、後者をオフフック状態と称している。
【００１８】
本体２の上面前部には複数のキー４ａを備えた操作パネル４が設けられ、その操作パネル４の左後部には、後述する緊急フラグ１４ｉ（図４参照）がオンで、且つ、後述する着信番号エリア１４ｆ（図４参照）に記憶されている相手側装置（発呼側装置，発信者）の電話番号（発信者番号）を表示するための液晶表示器（ＬＣＤ）５が設けられている。
【００１９】
操作パネル４の左端部には、上から順に留守録再生キー４ｂと、表示キー４ｃと、優先順キー４ｄと、着信順キー４ｅとが設けられている。留守録再生キー４ｂは、録音された相手側装置からのメッセージを再生するためのものである。相手側装置からのメッセージが録音されている場合に、受信者によって留守録再生キー４ｂが押下されると、かかるメッセージが再生される。
【００２０】
表示キー４ｃは、緊急フラグ１４ｉがオンで、且つ、後述する着信順カウンタ１４ｇ（図４参照）の値が最も小さい着信番号エリア１４ｆの内容をＬＣＤ５へ表示するためのものである。緊急フラグ１４ｉがオンであるメッセージが２以上ある場合に、留守録再生キー４ｂが押下され、更に、表示キー４ｃが押下されると、緊急フラグ１４ｉがオンで、着信順カウンタ１４ｇの値が最も小さい着信番号エリア１４ｆの内容がＬＣＤ５へ表示される。
【００２１】
優先順キー４ｄは、緊急フラグ１４ｉがオンであるメッセージを後述する着信優先度メモリ１４ｈ（図４参照）の値の大きい順に全て再生するためのものである。緊急フラグ１４ｉがオンであるメッセージが２以上ある場合に、留守録再生キー４ｂが押下され、更に、優先順キー４ｄが押下されると、かかるメッセージが着信優先度メモリ１４ｈの値の大きい順に全て再生される。
【００２２】
着信順キー４ｅは、緊急フラグ１４ｉがオンであるメッセージを着信順カウンタ１４ｇの値の小さい順に全て再生するためのものである。緊急フラグ１４ｉがオンであるメッセージが２以上ある場合に、留守録再生キー４ｂが押下され、更に、着信順キー４ｅが押下されると、かかるメッセージが着信順カウンタ１４ｇの値の小さい順に全て再生される。
【００２３】
操作パネル４の右上端部にはカーソルキー４ｆが、操作パネル４の右下端部にはスタートキー４ｇがそれぞれ設けられている。カーソルキー４ｆは、緊急フラグ１４ｉがオンである相手側装置からのメッセージの再生順序を選択するものであり、スタートキー４ｇは、ＬＣＤ５に表示されている着信番号エリア１４ｆの内容に対応するメッセージを再生するためのものである。前記したように、受信者により、留守録再生キー４ｂが押下され、更に、表示キー４ｃが押下されると、緊急フラグ１４ｉがオンで、着信順カウンタ１４ｇの値が最も小さい着信番号エリア１４ｆの内容、即ち、相手側装置の電話番号がＬＣＤ５へ表示される。ここで、カーソルキー４ｆが押下されると、ＬＣＤ５に表示されている着信番号エリア１４ｆの内容、即ち、ＬＣＤ５に表示されている相手側装置の電話番号が変更される。また、スタートキー４ｇが押下されると、そのＬＣＤ５に表示されている電話番号の相手側装置からのメッセージが再生されるのである。
【００２４】
ファクシミリ装置１は、この操作パネル４上に設けられた各キー４ａが押下されることにより操作されるとともに、その操作状態や操作手順などがＬＣＤ５に表示される。
【００２５】
操作パネル４及びＬＣＤ５の後部には原稿挿入口６が設けられている。ファクシミリ送信される原稿は、この原稿挿入口６に原稿面を下向きにして挿入され、読み取りが行われた後に、本体２の前面であって操作パネル４の下方に設けられた原稿排出口７から排出される。原稿挿入口６の後部には記録紙ホルダ装着部９が設けられており、この記録紙ホルダ装着部９には、複数枚の記録紙を積層収納可能な記録紙ホルダ１０が着脱可能に取り付けられている。記録紙ホルダ１０から供給され印刷に使用された記録紙は、原稿排出口７の下方に設けられた記録紙排出口８から排出される。本体２の一側面には、着呼があった場合の呼出音の鳴動や、相手側装置からのメッセージを出力するためのスピーカ２８が設けられている。
【００２６】
図２は、本ファクシミリ装置１の電気的構成を示したブロック図である。ファクシミリ装置１には、ＣＰＵ１１、ＲＯＭ１２、ＥＥＰＲＯＭ１３、ＲＡＭ１４、画像メモリ１５、音声メモリ１６、音声ＬＳＩ１７、ネットワーク・コントロール・ユニット（以下「ＮＣＵ」と称す）１９、モデム２０、バッファ２１、スキャナ２２、符号化部２３、復号化部２４、プリンタ２５、操作パネル４及びアンプ２７、とが備えられ、これらはバスライン３０を介して相互に接続されている。
【００２７】
ＮＣＵ１９は回線制御を行うためのものであり、ファクシミリ装置１はこのＮＣＵ１９を介して電話回線３１に接続されている。ＮＣＵ１９は、交換機２９から送信される呼出信号、発信者番号、又は、相手側装置からのメッセージなどを受信するとともに、操作パネル４上に設けられているキー４ａ操作に応じた発信時のダイヤル信号を交換機２９へ送信したり、更には通話時におけるアナログ音声信号の送受信を行うものである。
【００２８】
ＣＰＵ１１は、ＮＣＵ１９を介して送受信される各種信号に従って、バスライン３０により接続された各部を制御してファクシミリ動作や電話動作、即ち、データ通信を実行するものである。ＲＯＭ１２は、このファクシミリ装置１で実行される制御プログラムなどを格納した書換不能なメモリであり、図５から図８までのフローチャートに示す各プログラムはこのＲＯＭ１２内に格納されている。
【００２９】
ＥＥＰＲＯＭ１３は書換可能な不揮発性のメモリであり、ＥＥＰＲＯＭ１３へ記憶されたデータは、ファクシミリ装置１の電源オフ後も保持される。ＥＥＰＲＯＭ１３は、相手側装置メモリ１３ａを備えている。相手側装置メモリ１３ａは、予め、相手側装置の電話番号（発信者番号）と、その相手側装置の優先度とを互いに対応つけて記憶するためのメモリである。図３に、その相手側装置メモリ１３ａの構成を模式的に示す。
【００３０】
図３に示すように、相手側装置メモリ１３ａには、電話番号エリア１３ｂと、優先度メモリ１３ｃとが設けられている。電話番号エリア１３ｂは、発信者番号を記憶するためのエリアである。
【００３１】
優先度メモリ１３ｃは、相手側装置の優先度を示す情報を記憶するためのものである。優先度メモリ１３ｃには「０」から「９９」までの数字が記憶可能に構成されており、この優先度メモリ１３ｃに記憶される数字が大きいほど優先度が高くなっている。即ち、最も優先度が高い相手側装置の優先度メモリ１３ｃには「９９」が記憶され、逆に、最も優先度が低い相手側装置の優先度メモリ１３ｃには「０」が記憶される。メッセージが録音される相手側装置の電話番号と電話番号エリア１３ｂに記憶されている電話番号とが一致する場合には、電話番号エリア１３ｂに対応つけて優先度メモリ１３ｃに記憶されている値が着信優先度メモリ１４ｈ（図４参照）へ記憶される。なお、電話番号エリア１３ｂのデータ及び優先度メモリ１３ｃのデータは、受信者による操作パネル４上のキー４ａ操作によって、予め互いに対応つけて記憶されている。
【００３２】
図２に示すＲＡＭ１４は、ファクシミリ装置１の各動作の実行時に各種のデータを一時的に記憶するためのメモリであり、発信者番号メモリ１４ａと、留守番カウンタ１４ｂと、着信メモリ１４ｃと、緊急メッセージカウンタ１４ｄと、通常メッセージカウンタ１４ｅとを備えている。
【００３３】
発信者番号メモリ１４ａは、メッセージが録音される相手側装置から着呼があった場合に、発信電話番号表示サービス（「ナンバーディスプレー」、「Caller ID」）によって交換機２９から送られる発信者番号を一時的に記憶するためのメモリである。ここで、発信電話番号表示サービスとは、ファクシミリ装置１が当該サービスに加入している場合に、交換機２９から発信者番号をファクシミリ装置１へ送信するサービスである。発信者番号が送信されるタイミングは、日本やイギリスでは、呼出信号の直前の無音区間であり、アメリカでは、最初の呼出信号と次の呼出信号との間の無音区間である。このため発信者番号は、受信者によってファクシミリ装置１の受話器３が取り上げられる前に（受話器３がオンフック状態のまま）ファクシミリ装置１によって受信される。よって、このサービスを利用すれば、受話器３が取り上げられる前に、ＬＣＤ５へ発信者番号を表示して、受信者に発信者を認識させることができる。
【００３４】
ファクシミリ装置１は、着呼があっても交換機２９から発信者番号が送信されない場合には、発信者番号メモリ１４ａの内容を「０」クリアしている。従って、発信者番号メモリ１４ａの内容を調べて、「０」でなければ、発信者番号メモリ１４ａに記憶される電話番号の相手側装置からの着呼であると判断でき、一方、発信者番号メモリ１４ａの内容が「０」であれば、着呼のあった相手側装置の電話番号が交換機２９から送信されなかったと判断することができる。
【００３５】
留守番カウンタ１４ｂは、録音されるメッセージの件数を記憶するためのカウンタである。メッセージが録音される相手側装置からの着呼があると、留守番カウンタ１４ｂの値が「１」加算される。
【００３６】
着信メモリ１４ｃは、メッセージが録音される相手側装置の電話番号と、そのメッセージに関する情報とを互いに対応つけて記憶するためのメモリである。図４に、着信メモリ１４ｃの構成を模式的に示す。
【００３７】
図４に示すように、着信メモリ１４ｃには、着信番号エリア１４ｆと、着信順カウンタ１４ｇと、着信優先度メモリ１４ｈと、緊急フラグ１４ｉと、終了フラグ１４ｊと、メッセージエリア１４ｋとが設けられている。
【００３８】
着信番号エリア１４ｆは、メッセージが録音される相手側装置の電話番号を記憶するためのエリアである。着信番号エリア１４ｆの内容は、発信者番号メモリ１４ａの内容に基づいて記憶される。具体的には、発信者番号メモリ１４ａの内容が「０」でなければ、発信者番号メモリ１４ａの内容、即ち、発信者番号が着信番号エリア１４ｆへ記憶される。一方、発信者番号メモリ１４ａの内容が「０」である場合には、着信番号エリア１４ｆへ「不明」であることが記憶される。
【００３９】
着信順カウンタ１４ｇは、着信番号エリア１４ｆの内容に対応つけて相手側装置からのメッセージを録音する順序を記憶するためのカウンタである。着信順カウンタ１４ｇの値には、メッセージが録音される相手側装置からの着呼があると、留守番カウンタ１４ｂの値が着信番号エリア１４ｆの内容に対応つけて記憶される。
【００４０】
着信優先度メモリ１４ｈは、着信番号エリア１４ｆの内容に対応つけて相手側装置からのメッセージの優先度を記憶するためのメモリである。この着信優先度メモリ１４ｈには、相手側装置メモリ１３ａの電話番号エリア１３ｂに記憶される電話番号の相手側装置からメッセージが録音される場合に、その電話番号エリア１３ｂの電話番号に対応して優先度メモリ１３ｃに記憶される優先度が記憶される。よって、着信優先度メモリ１４ｈには、優先度メモリ１３ｃと同様に、「０」から「９９」までの数字が記憶可能に構成されており、この着信優先度メモリ１４ｈに記憶される数字が大きいほど優先度が高くなっている。なお、メッセージが録音される相手側装置の電話番号が電話番号エリア１３ｂに記憶されていなければ、着信番号エリア１４ｆの内容に対応つけて着信優先度メモリ１４ｈの値へ「０」が記憶される。
【００４１】
上述したように受信者によって優先順キー４ｄが押下されると、着信優先度メモリ１４ｆの値の大きい順に、メッセージが再生される。即ち、録音されたメッセージの再生は、そのメッセージに対応つけて記憶される優先度の大きい順に行われる。
【００４２】
緊急フラグ１４ｉは、着信番号エリア１４ｆの内容に対応つけて相手側装置からのメッセージの緊急度を記憶するためのフラグである。メッセージが録音される相手側装置の電話番号と電話番号エリア１３ｂに記憶されている相手側装置の電話番号とが一致すると、着信番号エリア１４ｆの内容に対応つけて緊急フラグ１４ｉがオンされる。また、メッセージが既に録音されている相手側装置から再び（２回目に）着呼があった場合には、即ち、その着呼のあった相手側装置の電話番号と着信番号エリア１４ｆに記憶されている電話番号とが一致する場合には、かかる電話番号に対応する緊急フラグ１４ｉは全てオンされる。これは、同一の発信者から２以上のメッセージが録音されている場合には、その発信者からのメッセージは緊急であることが多いことを考慮している。一方、メッセージが録音される相手側装置の電話番号が電話番号エリア１３ｂに記憶されていなければ、着信番号エリア１４ｆの内容に対応つけて緊急フラグ１４ｉがオフされる。
【００４３】
受信者によって留守録再生キー４ｂが押下され、録音された相手側装置からのメッセージが再生される場合に、緊急フラグ１４ｉがオンであるメッセージは、緊急フラグ１４ｉがオフであるメッセージよりも優先して再生される。
【００４４】
終了フラグ１４ｊは、緊急フラグ１４ｉがオンであるメッセージの再生順序の選択を受信者によるキー４ａ操作によって行う場合に、各メッセージの再生が終了したか否かを記憶するためのフラグである。この終了フラグ１４ｊの初期値は、オフに設定されている。再生するメッセージがカーソルキー４ｆによって選択されスタートキー４ｇが押下されると、その選択されたメッセージが再生されるとともに、その再生されたメッセージに対応する終了フラグ１４ｊがオンされる。終了フラグ１４ｊがオンされたメッセージの着信番号エリア１４ｆの内容は、ＬＣＤ５への表示が禁止される。なお、メッセージエリア１４ｋは、音声メモリ１６に記憶される相手側装置からのメッセージのアドレスを着信番号エリア１４ｆの内容に対応つけて記憶するためのエリアである。
【００４５】
図２に示す緊急メッセージカウンタ１４ｄは、緊急フラグ１４ｉがオンであるメッセージの件数を記憶するためのカウンタである。受信者によって留守録再生キー４ｂが押下されると、緊急メッセージカウンタ１４ｄの値がスピーカ２８から音声出力される。よって、緊急フラグ１４ｉがオンであるメッセージの件数、即ち、優先して再生されるメッセージの件数が受信者に対して報知される。
【００４６】
また、緊急メッセージカウンタ１４ｄの値は、受信者による操作パネル４上のキー４ａ操作によってメッセージが再生された場合に、その再生されたメッセージの件数分だけ減算される。よって、緊急メッセージカウンタ１４ｄの値を監視することにより、未再生のメッセージ件数を把握することができる。
【００４７】
通常メッセージカウンタ１４ｅは、緊急フラグ１４ｉがオフであるメッセージの件数を記憶するためのカウンタである。受信者によって留守録再生キー４ｂが押下されると、通常メッセージカウンタ１４ｅの値がスピーカ２８から音声出力される。よって、緊急フラグ１４ｉがオフであるメッセージの件数が受信者に対して報知される。
【００４８】
なお、発信者番号メモリ１４ａのデータ、留守番カウンタ１４ｂのデータ、着信メモリ１４ｃのデータ、緊急メッセージカウンタ１４ｄのデータ、及び、通常メッセージカウンタ１４ｅのデータは、録音されているメッセージの再生が全て終了することによって、それぞれ初期化される。
【００４９】
画像メモリ１５は、通信履歴や、画像データ及び印刷のためのビットイメージを記憶するためのメモリであり、安価な大容量メモリであるダイナミックＲＡＭ（ＤＲＡＭ）により構成されている。受信された画像データは、一旦画像メモリ１５に記憶され、プリンタ２５によって記録紙に印刷された後に、この画像メモリ１５から消去される。一般に、画像データは大容量であるが、画像データが印刷されることを条件にその画像データを消去しているので、画像メモリ１５を有効に使用することができる。音声メモリ１６は、受信者へ報知されるメッセージや、相手側装置へ送出される応答メッセージ、更には、相手側装置から送られてきた入来メッセージを記憶するためのメモリである。画像メモリ１５と同様に、安価な大容量メモリであるダイナミックＲＡＭ（ＤＲＡＭ）により構成されている。音声メモリ１６に記憶された入来メッセージは、操作パネル４を介して消去操作がなされることにより、或いは、電話回線に接続された他の装置から送られる消去コマンドを受信することによって、消去される。
【００５０】
音声ＬＳＩ１７は、ＮＣＵ１９によって受信されたアナログ音声信号をデジタル音声信号に変換する音声認識処理を行うとともに、ファクシミリ装置１の内部で生成されたデジタル音声信号をアナログ音声信号に変換して、ＮＣＵ１９やスピーカ２８（アンプ２７）へ出力する音声合成処理を行うためのものである。音声メモリ１６に記憶されている相手側装置からのメッセージは、受信者により留守録再生キー４ｂの押下されることにより、音声ＬＳＩ１７による音声合成処理が行われスピーカ２８から出力される。
【００５１】
モデム２０は、画情報を変調および復調して伝送するとともに伝送制御用の各種手順信号を送受信するためのものであり、バッファ２１は、相手側ファクシミリ装置との間で送受信される符号化された画情報を含むデータを一時的に格納するためのものである。スキャナ２２は、原稿挿入口６に挿入された原稿から画像を読み取るためのものであり、符号化部２３は、スキャナ２２により読み取られた画像の符号化を行うものである。復号化部２４は、バッファ２１又は画像メモリ１５に記憶された受信画像データを読み出して、これを復号化するためのものであり、復号化されたデータはプリンタ２５によって記録紙に印刷される。
【００５２】
操作パネル４は、受信者がこのファクシミリ装置１の設定等を行う場合に各種の操作を行うためのものであり、アンプ２７は、そのアンプ２７に接続されたスピーカ２８を鳴動して、呼出音や音声などを出力するためのものである。
【００５３】
このように構成されたファクシミリ装置１は、ＮＣＵ１９を介して、電話回線３１に接続されている。電話回線３１は、ファクシミリ装置１の交換機２９に接続され、交換機２９は、電話回線３２を介して、他の交換機に接続されている。なお、他の交換機は、更に電話回線を介して、相手側装置に接続されている。
【００５４】
次に図５から図８までのフローチャートを参照して、上記のように構成されたファクシミリ装置１の動作について説明する。図５は、メッセージ録音処理を示した図である。図５に示すように、ファクシミリ装置１は、相手側装置からの着呼があるまで待機し（Ｓ１：Ｎｏ）、着呼があると（Ｓ１：Ｙｅｓ）、留守番モードがオンであるか否かを確認する（Ｓ２）。留守番モードがオフである場合には（Ｓ２：ＯＦＦ）、このメッセージ録音処理を終了する。一方、留守モードがオンである場合には（Ｓ２：ＯＮ）、留守番カウンタ１４ｂの値を１加算する（Ｓ３）。加算後、図６に示す優先順位付加処理を実行する（Ｓ４）。
【００５５】
図６の優先順位付加処理は、相手側装置からのメッセージに対して様々な情報を付加するための処理である。図６に示すように、まず、上述した発信電話番号表示サービスによって交換機２９から送られる発信者番号を受信したか否かを確認する（Ｓ１１）。発信者番号を受信した場合には（Ｓ１１：Ｙｅｓ）、その受信した発信者番号を発信者番号メモリ１４ａへ書き込む（Ｓ１２）。書き込み後、発信者番号メモリ１４ａの内容が着信番号エリア１４ｆに記憶されているか否かを確認する（Ｓ１３）。着信番号エリア１４ｆに記憶されている場合には（Ｓ１３：Ｙｅｓ）、発信者番号メモリ１４ａに記憶されている電話番号の相手側装置から１以上のメッセージが録音されている。
【００５６】
かかる場合には（Ｓ１３：Ｙｅｓ）、発信者番号メモリ１４ａの内容を着信番号エリア１４ｆへ書き込み（Ｓ１４）、発信者番号メモリ１４ａの内容が電話番号エリア１３ｂに記憶されているか否かを確認する（Ｓ１５）。電話番号エリア１３ｂに記憶されている場合には（Ｓ１５：Ｙｅｓ）、電話番号エリア１３ｂの内容に対応つけて記憶されている優先度メモリ１３ｃの値を、着信番号エリア１４ｆの内容に対応つけて着信優先度メモリ１４ｈへ書き込む（Ｓ１６）。一方、発信者番号メモリ１４ａの内容が電話番号エリア１３ｂに記憶されていない場合には（Ｓ１５：Ｎｏ）、着信番号エリア１４ｆの内容に対応つけて優先度を記憶することができないので、Ｓ１６の処理をスキップする。
【００５７】
このように発信者番号メモリ１４ａの内容が電話番号エリア１３ｂに記憶されている場合には、優先度メモリ１３ｃへ記憶されている値が着信優先度メモリ１４ｈへ記憶される。即ち、メッセージが録音される相手側装置の電話番号が電話番号エリア１３ｂに記憶されている場合には、その相手側装置の優先度をメッセージの優先度として記憶することができる。
【００５８】
次に、発信者番号メモリ１４ａの内容と同一の電話番号を記憶する着信番号エリア１４ｆのデータに対応する緊急フラグ１４ｉ、即ち、メッセージが録音される相手側装置と同一の電話番号を記憶する着信番号エリア１４ｆのデータに対応する緊急フラグ１４ｉがオンであるか否かを確認する（Ｓ１７）。緊急フラグ１４ｉがオフである場合には（Ｓ１７：ＯＦＦ）、発信者番号メモリ１４ａに記憶されている電話番号の相手側装置からの着呼は２回目であるので、発信者番号メモリ１４ａに記憶されている電話番号と同一の電話番号を記憶する着信番号エリア１４ｆのデータに対応する緊急フラグ１４ｉを全てオンする（Ｓ１８）。緊急フラグ１４ｉのオン後、緊急フラグ１４ｉをオフからオンへ変更したので、通常メッセージカウンタ１４ｅの値を１減算する（Ｓ１９）。減算後、緊急メッセージカウンタ１４ｄの値を２加算して（Ｓ２０）、前回の着信分と今回の着呼分とを加算する。
【００５９】
一方、Ｓ１７の処理において、発信者番号メモリ１４ａの内容と同一の電話番号を記憶する着信番号エリア１４ｆのデータに対応する緊急フラグ１４ｉがオンである場合には（Ｓ１７：ＯＮ）、今回の着信により記憶される着信番号エリア１４ｆのデータに対応つけて、緊急フラグ１４ｉをオンする（Ｓ２１）。緊急フラグ１４ｉのオン後、緊急メッセージカウンタ１４ｄの値を１加算する（Ｓ２２）。
【００６０】
このように発信者番号メモリ１４ａの内容が、既に着信番号エリア１４ｆに記憶されている場合には、その着信番号エリア１４ｆのデータに対応する緊急フラグ１４ｉがオフであっても、オンにされる。よって、メッセージが録音された相手側装置から再度メッセージが録音された場合には、その相手側装置からのメッセージに対応する緊急フラグ１４ｉがオンされるので、そのメッセージを優先して再生することができる。これは、同一の発信者から２以上の着呼があった場合には、その発信者からのメッセージは緊急であることが多いことを考慮している。
【００６１】
Ｓ１３の処理において、発信者番号メモリ１４ａの内容が着信番号エリア１４ｆに記憶されていない場合には（Ｓ１３：Ｎｏ）、発信者番号メモリ１４ａに記憶されている電話番号の相手側装置からの着呼は最初である。この場合には、発信者番号メモリ１４ａの内容を着信番号エリア１４ｆへ書き込み（Ｓ２３）、発信者番号メモリ１４ａの内容が電話番号エリア１３ｂに記憶されているか否かを確認する（Ｓ２４）。発信者番号メモリ１４ａの内容が電話番号エリア１３ｂに記憶されている場合には（Ｓ２４：Ｙｅｓ）、電話番号エリア１３ｂの内容に対応つけて記憶されている優先度メモリ１３ｃの値を、着信番号エリア１４ｆの内容に対応つけて着信優先度メモリ１４ｈへ書き込む（Ｓ２５）。書き込み後、着信番号エリア１４ｆの内容に対応つけて記憶される緊急フラグ１４ｉをオンし（Ｓ２６）、緊急メッセージカウンタ１４ｄの値を１加算する（Ｓ２７）。
【００６２】
Ｓ１１の処理において、本ファクシミリ装置１が発信電話番号表示サービスに加入していても、発信者が電話番号の送信を拒否している場合には、交換機２９から発信者番号は送られないので、発信者番号を受信することができない。よって、かかる場合には（Ｓ１１：Ｎｏ）、発信者番号メモリ１４ａの内容を「０」クリアして（Ｓ２８）、発信者番号が受信できなかったことを記憶し、着信番号エリア１４ｆへ「不明」であることを書き込む（Ｓ２９）。
【００６３】
着信番号エリア１４ｆへの書き込み後（Ｓ２９）、または、Ｓ２４の処理において発信者番号メモリ１４ａの内容が電話番号エリア１３ｂに記憶されていない場合には（Ｓ２４：Ｎｏ）、着信番号エリア１４ｆの内容に対応つけて記憶される緊急フラグ１４ｉをオフする（Ｓ３０）。緊急フラグ１４ｉのオフ後、通常メッセージカウンタ１４ｅの値を１加算する（Ｓ３１）。
【００６４】
緊急メッセージカウンタ１４ｄの値、或いは、通常メッセージカウンタ１４ｅの値を加算した後（Ｓ２０，Ｓ２２，Ｓ２７，Ｓ３１）、着信番号エリア１４ｆの内容に対応つけて留守番カウンタ１４ｂの値を着信順カウンタ１４ｇの値へ書き込み（Ｓ３２）、この優先順位付加処理を終了する。
【００６５】
優先順位付加処理（Ｓ４）の終了後は、処理を図５のＳ５へ移行して、電話回線を閉結する（Ｓ５）。閉結後、相手側装置からのメッセージを音声メモリ１６に録音し、その録音されたメッセージの音声メモリ１６のアドレスを、対応するメッセージエリア１４ｋに書き込む（Ｓ６）。メッセージの録音後、電話回線を開放して（Ｓ７）、このメッセージ録音処理を終了する。
【００６６】
図７に示すフローチャートは、メッセージ再生処理を示した図である。図７のメッセージ再生処理は、図５のフローチャートに示す処理で録音された相手側装置からのメッセージを再生するための処理である。
【００６７】
図７に示すように、メッセージ再生処理では、まず、録音再生キーが押下されるまで待機し（Ｓ４０：Ｎｏ）、録音再生キーが押下されると（Ｓ４０：Ｙｅｓ）、緊急メッセージカウンタ１４ｄの値が「０」であるか否かを確認する（Ｓ４１）。緊急メッセージカウンタ１４ｄの値が「０」でない場合には（Ｓ４１：Ｎｏ）、緊急メッセージカウンタ１４ｄの値が「２」以上であるか否かを判断する（Ｓ４２）。判断の結果、緊急メッセージカウンタ１４ｄの値が「２」未満である場合には（Ｓ４２：Ｎｏ）、即ち、緊急メッセージカウンタ１４ｄの値が「１」である場合には、緊急フラグ１４ｉがオンであるメッセージは１つしかないので、緊急フラグ１４ｉがオンであるメッセージを再生する（Ｓ４３）。
【００６８】
一方、緊急メッセージカウンタ１４ｄの値が２以上である場合には（Ｓ４２：Ｙｅｓ）、緊急メッセージカウンタ１４ｄの値と、通常メッセージカウンタ１４ｅの値とをスピーカ２８から出力する（Ｓ４４）。このように緊急メッセージカウンタ１４ｄの値が２以上である場合には、緊急メッセージカウンタ１４ｄの値、即ち、緊急なメッセージの録音件数がスピーカ２８から出力される。よって、受信者は、相手側装置からのメッセージの中で、優先して再生されるメッセージの件数を認識することができるのである。
【００６９】
緊急なメッセージ件数および通常のメッセージ件数の出力後、受信者によって表示キー４ｃ、優先順キー４ｄ、または、着信順キー４ｅが押下されるまでの間（Ｓ４５：Ｎｏ，Ｓ４６：Ｎｏ，Ｓ４７：Ｎｏ）、Ｓ４５からＳ４７までの処理を繰り返す。ここで、表示キー４ｃが押下されれば（Ｓ４５：Ｙｅｓ）、図８に示す再生順選択処理を実行する（Ｓ４８）。
【００７０】
図８の再生順選択処理は、受信者による操作パネル４上のキー４ａ操作によってメッセージの再生順序を選択する処理である。図８に示すように、再生順選択処理では、まず、緊急フラグ１４ｉがオンで、着信順カウンタ１４ｇの値が最も小さい着信番号エリア１４ｆの内容を表示する（Ｓ６１）。表示後、受信者によってカーソルキー４ｆが押下されたか否かを確認する（Ｓ６２）。カーソルキー４ｆが押下されれば（Ｓ６２：Ｙｅｓ）、カーソルキー４ｆの操作に応じて、緊急フラグ１４ｉがオンで、且つ、終了フラグがオフである着信番号エリア１４ｆの内容を順次表示する（Ｓ６３）。一方、カーソルキー４ｆが押下されなければ（Ｓ６２：Ｎｏ）、ＬＣＤ５の表示内容を変更することなく、Ｓ６３の処理をスキップして、スタートキー４ｇの押下を待機する。
【００７１】
次に、受信者によってスタートキー４ｇが押下されたか否かを確認する（Ｓ６４）。スタートキー４ｇが押下されなければ（Ｓ６４：Ｎｏ）、処理をＳ６２へ移行して、スタートキー４ｇが押下されるまでの間、Ｓ６２及びＳ６３の処理を繰り返す。一方、スタートキー４ｇが押下されれば（Ｓ６４：Ｙｅｓ）、カーソルキー４ｆにて選択したメッセージ、即ち、ＬＣＤ５へ表示されている着信番号エリア１４ｆの内容に対応するメッセージを再生する（Ｓ６５）。再生後、緊急フラグ１４ｉがオンであるメッセージを１つ再生したので、緊急メッセージカウンタ１４ｄの値を１減算する（Ｓ６６）。
【００７２】
減算後、メッセージを再生した着信番号エリア１４ｆの内容の表示をＬＣＤ５から消去する（Ｓ６７）。消去後、メッセージを再生した着信番号エリア１４ｆに対応する終了フラグをオンする（Ｓ６８）。終了フラグのオン後、緊急メッセージカウンタ１４ｄの値は「０」であるか否かを確認する（Ｓ６９）。緊急メッセージカウンタ１４ｄの値が「０」でない場合には（Ｓ６９：Ｎｏ）、緊急フラグ１４ｉがオンであるメッセージの再生が全て終了していないので、処理をＳ６２へ移行して、緊急メッセージカウンタ１４ｄの値が「０」になるまでの間、Ｓ６２からＳ６９までの処理を繰り返す。一方、緊急メッセージカウンタ１４ｄの値が「０」になれば（Ｓ６９：Ｙｅｓ）、緊急フラグ１４ｉがオンであるメッセージの再生を全て終了したので、この再生順選択処理を終了する。
【００７３】
このように再生順選択処理では、受信者によりカーソルキー４ｆが押下されると、カーソルキー４ｆの操作に応じて、ＬＣＤ５に表示される着信番号エリア１４ｆの表示内容、即ち、ＬＣＤ５に表示されている相手側装置の電話番号が変更される。よって、受信者は、ＬＣＤ５へ表示された着信番号エリア１４ｆの内容（相手側装置の電話番号）を見てメッセージの再生順序を選択することができるので、再生順序の選択操作を容易に行うことができる。また、メッセージの再生順序を、このように相手側装置の電話番号に基づいて選択することができるので、受信者にとって重要な発信者からのメッセージが録音されている場合に、その発信者からのメッセージを他のメッセージに優先して再生することができる。
【００７４】
図７のＳ４６の処理において、受信者によって優先順キー４ｄが押下されれば（Ｓ４６：Ｙｅｓ）、緊急フラグ１４ｉがオンであるメッセージを着信優先度メモリ１４ｈの値の大きい順に全て再生する（Ｓ４９）。ここで着信優先度メモリ１４ｈの値が同一である場合には、着信順カウンタ１４ｇの値の小さいメッセージから再生する。よって、録音されたメッセージの再生を着信優先度メモリ１４ｈの値の大きい順に、即ち、メッセージの優先度の大きい順に行うことができるのである。
【００７５】
Ｓ４７の処理において、着信順キー４ｅが押下されれば（Ｓ４７：Ｙｅｓ）、緊急フラグ１４ｉがオンであるメッセージを着信順カウンタ１４ｇの値の小さい順に全て再生する（Ｓ５０）。
【００７６】
一方、Ｓ４１の処理において、緊急メッセージカウンタ１４ｄの値が「０」である場合には（Ｓ４１：Ｙｅｓ）、緊急フラグ１４ｉがオンであるメッセージはないので、Ｓ４２からＳ５０までの処理をスキップする。
【００７７】
次に、Ｓ５１の処理において、通常メッセージカウンタ１４ｅの値が「０」であるか否かを確認する。通常メッセージカウンタ１４ｅの値が「０」でない場合には（Ｓ５１：Ｎｏ）、緊急フラグ１４ｉがオフであるメッセージを着信順カウンタ１４ｇの小さい順に全て再生する（Ｓ５２）。一方、通常メッセージカウンタ１４ｅの値が「０」である場合には（Ｓ５１：Ｙｅｓ）、緊急フラグ１４ｉがオフのメッセージ、即ち、未再生のメッセージは録音されていないので、Ｓ５２の処理をスキップする。
【００７８】
次に、初期化処理を行う（Ｓ５３）。この初期化処理では、ＲＡＭ１４内に記憶されている全てのデータを（即ち、発信者番号メモリ１４ａの内容と、留守番カウンタ１４ｂの値と、着信メモリ１４ｃの内容と、緊急メッセージカウンタ１４ｄの値と、通常メッセージカウンタ１４ｅの値）全て「０」クリアする。初期化処理（Ｓ５３）の終了後、このメッセージ再生処理を終了する。
【００７９】
なお、請求項１から５に記載のメッセージ記憶手段としてはＳ５からＳ７までの処理が、出力手段としてはＳ４３、Ｓ４９、Ｓ５０、Ｓ５２及びＳ６５の処理が、選択手段としてはＳ４６、Ｓ４７、及び、Ｓ６２からＳ６４までの処理がそれぞれ該当する。請求項２から５に記載の情報出力手段としてはＳ４４、Ｓ６１及びＳ６３の処理が該当する。請求項３から５に記載の表示手段としてはＳ６１及びＳ６３の処理が、請求項１から５に記載の判断手段としてはＳ１３の処理が、優先情報付与手段としてはＳ１８、Ｓ２１及びＳ２６の処理が、請求項５記載の優先件数記憶手段としてはＳ２０、Ｓ２２及びＳ２７の処理が、優先件数出力手段としてはＳ４４の処理がそれぞれ該当する。
【００８０】
以上、実施例に基づき本発明を説明したが、本発明は上記実施例に何ら限定されるものではなく、本発明の趣旨を逸脱しない範囲内で種々の改良変形が可能であることは容易に推察できるものである。
【００８１】
例えば、本実施例のファクシミリ装置１では、Ｓ６３の処理において、着信番号エリア１４ｆの内容、即ち、相手側装置の電話番号がＬＣＤ５へ表示された。しかし、これに代えて、予め、相手側装置の電話番号に対応つけて、その相手側装置の名称を記憶しておき、Ｓ６３の処理では、その記憶された名称を着信番号エリア１４ｆの内容に替えてＬＣＤ５へ表示するように構成しても良い。
【００８２】
また、本実施例では、発信者番号エリアの内容（メッセージが録音される相手側装置の電話番号）と電話番号エリア１３ｂに記憶されている電話番号とが一致する場合（Ｓ１３：Ｙｅｓ）、または、発信者番号メモリ１４ａの内容が既に着信番号エリア１４ｆに記憶されている場合には（Ｓ１５：Ｙｅｓ，Ｓ２４：Ｙｅｓ）、着信番号エリア１４ｆの内容に対応つけて緊急フラグ１４ｉがオンされた。しかし、これに代えて、相手側装置からのメッセージとともに緊急であることを示す情報が送られてきた場合には、その緊急であることを示す情報が送られてきた相手側装置の電話番号に対応つけて緊急フラグ１４ｉをオンするように構成しても良い。このように構成することより、相手側装置が緊急であると指定したメッセージに対して、受信者の主観でその重要性を判断し、再生順序を選択することができるのである。
【００８３】
また、本実施例では、図８の再生順選択処理において、緊急フラグ１４ｉがオンであるメッセージの再生は、受信者によるカーソルキー４ｆとスタートキー４ｇとの操作によって１件ごとに行われていた。しかし、これに代えて、ＬＣＤ５が複数件の着信番号エリア１４ｆの内容（即ち、緊急フラグ１４ｉがオンであるメッセージに対応する相手側装置の電話番号）を表示可能であれば、その複数表示された着信番号エリア１４ｆの内容の中で再生順序をまとめて指定し、その指定した再生順序によってメッセージを再生するように構成しても良い。
【００８４】
また、本実施例では、図８の再生順選択処理において、緊急フラグ１４ｉがオンであるメッセージの全てが、受信者によるカーソルキー４ｆとスタートキー４ｇとの操作によって選択され再生されていた。しかし、これに代えて、受信者によるキー４ｆ，４ｇ操作によって重要なメッセージが再生された後は、緊急フラグ１４ｉがオンであるメッセージを全て再生し終わっていなくても、所定の操作により、未再生のメッセージを着信順カウンタ１４ｇの値の小さい順、即ち、着信順に再生するように構成しても良い。
【００８５】
また、本実施例では、Ｓ５０の処理において、緊急フラグ１４ｉがオンであるメッセージは着信順カウンタ１４ｇの値の小さい順、即ち、メッセージの着信順に再生していた。しかし、これに加えて、メッセージを着信順に再生する場合に、その再生するメッセージに対応する相手側装置の電話番号と同一の内容が着信番号エリア１４ｆの内容の中にある場合には、着信順カウンタ１４ｇの値に拘らず、その相手側装置の電話番号（発信者）からのメッセージを連続して再生するように構成しても良い。
【００８６】
また、本実施例では、音声によるメッセージが用いられた。しかし、これに代えて、画像データをメッセージとして用いるように構成しても良い。
【００８７】
【発明の効果】
請求項１記載の通信装置によれば、回線の閉結前に交換機側から送られる相手側装置の識別番号が受信手段により受信されると、選択手段により、その受信された相手側装置の識別番号に基づいて出力手段によるメッセージの出力順序が選択される。よって、記憶された相手側装置からのメッセージを出力する際に、そのメッセージの出力順序を相手側装置の識別番号に基づいて選択することができるという効果がある。
そしてこの選択は、番号記憶手段に記憶される相手側装置の識別番号と受信手段により受信された相手側装置の識別番号とが一致する場合には、相手側装置からのメッセージに対応つけて優先であることを示す情報が優先情報付与手段により付与される。その優先であることを示す情報が付与された相手側装置からのメッセージは、出力手段により、優先であることを示す情報が付与されていない相手側装置からのメッセージよりも優先して出力されるように行われるため、番号記憶手段に記憶されている相手側装置からのメッセージを、番号記憶手段に記憶されていない相手側装置からのメッセージよりも優先して出力することができるという効果がある。
すなわち、メッセージが記憶されている相手側装置から再度メッセージが記憶された場合には、その相手側装置からのメッセージを優先して出力することができるという効果がある。
【００８８】
請求項２記載の通信装置によれば、請求項１記載の通信装置の奏する効果に加え、更に、受信手段により受信された相手側装置の識別番号に基づいて相手側装置の情報が情報出力手段により出力されると、選択手段により、その出力された相手側装置の情報に基づいて出力手段によるメッセージの出力順序が選択される。よって、受信者は、情報出力手段により出力された相手側装置からの情報に基づいて、記憶された相手側装置からのメッセージの出力順序を選択することができるという効果がある。
【００８９】
請求項３記載の通信装置によれば、請求項２記載の通信装置の奏する効果に加え、更に、情報出力手段によって、相手側装置の情報が表示手段へ表示される。よって、受信者は、表示手段へ表示された相手側装置の情報を見て、記憶された相手側装置からのメッセージの出力順序を選択することができるので、出力順序の選択操作を容易に行うことができるという効果がある。
【００９０】
【００９１】
【００９２】
請求項４記載の通信装置によれば、請求項１から３のいずれかに記載の通信装置の奏する効果に加え、更に、番号記憶手段には、複数の相手側装置の識別番号と、その相手側装置の優先度を示す情報とが、それぞれ対応つけて記憶されている。選択手段により、その番号記憶手段に記憶されている相手側装置の優先度を示す情報に基づいてメッセージを出力する順序が選択される。よって、番号記憶手段に記憶されている相手側装置からのメッセージを出力する際に、相手側装置の優先度を示す情報に基づいて出力順序を選択することができるという効果がある。
【００９３】
請求項５記載の通信装置によれば、請求項１から４のいずれかに記載の通信装置の奏する効果に加え、更に、優先情報付与手段により優先であることを示す情報が付与された相手側装置からのメッセージの件数が優先件数記憶手段により記憶され、その優先件数記憶手段に記憶された相手側装置からのメッセージの件数が優先件数出力手段によって出力される。よって、受信者は、相手側装置からのメッセージの中で、優先して出力されるメッセージの件数を認識することができるという効果がある。
【００９４】
【００９５】
【図面の簡単な説明】
【図１】  本発明の一実施例であるファクシミリ装置の斜視図である。
【図２】  上記ファクシミリ装置の電気的構成を示したブロック図である。
【図３】  ＥＥＰＲＯＭ内の相手側装置メモリの構成を模式的に示した図である。
【図４】  ＲＡＭ内の着信メモリの構成を模式的に示した図である。
【図５】  メッセージ録音処理を示したフローチャートである。
【図６】  優先順位付加処理を示したフローチャートである。
【図７】  メッセージ再生処理を示したフローチャートである。
【図８】  再生順選択処理を示したフローチャートである。
【符号の説明】
１          ファクシミリ装置（通信装置）
５          ＬＣＤ（情報出力手段の一部，表示手段）
１３        ＥＥＰＲＯＭ
１３ａ      相手側装置メモリ（番号記憶手段の一部）
１３ｂ      電話番号エリア
１３ｃ      優先度メモリ
１４        ＲＡＭ
１４ａ      発信者番号メモリ
１４ｂ      留守番カウンタ
１４ｃ      着信メモリ
１４ｄ      緊急メッセージカウンタ（優先件数記憶手段）
１４ｅ      通常メッセージカウンタ
１４ｆ      着信番号エリア（番号記憶手段の一部）
１４ｇ      着信順カウンタ
１４ｈ      着信優先度メモリ
１４ｉ      緊急フラグ（優先情報付与手段）
１４ｊ      終了フラグ
１４ｋ      メッセージエリア
１６        音声メモリ（記憶手段の一部）
１９        ネットワークコントロールユニット（ＮＣＵ）（メッセージ記憶手段および受信手段の一部）
２０        モデム（受信手段の一部）
２１        バッファ（受信手段の一部）
２７        アンプ（出力手段および情報出力手段の一部）
２８        スピーカ（出力手段および情報出力手段の一部）
２９        交換機
３１，３２  電話回線
【図１】
0003684848.tif 000002
【図２】
0003684848.tif 000003
【図３】
0003684848.tif 000004
【図４】
0003684848.tif 000005
【図５】
0003684848.tif 000006
【図６】
0003684848.tif 000007
【図７】
0003684848.tif 000008
【図８】
0003684848.tif 000009